Podtech/llm-jp-corpus-v4-ja_patent huggingface dataset:
【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
駆動源であるモータと該モータによって回転駆動される切断工具を有する切断工具本体と、被切断材の表面に沿って前記切断工具本体を案内するベースを備えるとともに、前記ベースに平行定規を装着可能な携帯用切断工具において、
前記ベースに形成された挿通孔に挿通するガイドバーに、前記切断工具の端面に平行に摺動可能で且つ切断工具の端面に当接可能なダストガードを設け、
該ダストガードを、その底面がベースの上面よりも上方に位置するように配置したことを特徴とする携帯用切断工具。
【請求項２】
前記ベースに形成された挿通孔に挿通するガイドバーに前記ダストガードを摺動可能に支持せしめるとともに、該ダストガードを固定手段によって前記ガイドバーに固定可能としたことを特徴とする請求項１記載の携帯用切断工具。
【請求項３】
前記ベースに形成された挿通孔をサブベース取付用孔に共用することを特徴とする請求項２記載の携帯用切断工具。
【請求項４】
前記ベースの一側面を前記切断工具の側面近傍に位置せしめるとともに、その外側方に前記ダストガードを配置したことを特徴とする請求項１〜３の何れかに記載の携帯用切断工具。
【請求項５】
前記切断工具本体を支持軸を中心に前記ベースに対して回動させて前記切断工具を傾斜させて切断を行う場合の前記ダストガードの固定位置を、切断工具を前記ベースに対して傾斜させない場合の前記ダストガードの固定位置に対して変更可能としたことを特徴とする請求項１〜４の何れかに記載の携帯用切断工具。
【請求項６】
前記平行定規を前記切断工具を境として前記ダストガードと同側又は反対側に配置可能としたことを特徴とする請求項１〜５の何れかに記載の携帯用切断工具。
【請求項７】
前記切断工具の位置を示す目印を前記ダストガードに設けたことを特徴とする請求項１〜６の何れかに記載の携帯用切断工具。
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
複数種類の図柄を可変表示可能な複数の表示列を備え、前記複数の表示列の可変表示が
停止した状態において、前記複数の表示列を横切る複数の入賞ラインのうち、有効化され
た入賞ライン上に停止した図柄の並びが所定態様である場合にいずれかの役が成立し、成
立した役に応じた数量の遊技媒体を付与するスロットマシン。
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
各々に複数種類の図柄が配置され可変表示が可能な複数の表示列と、前記可変表示を開
始させる指示を遊技者が入力するための開始操作手段と、前記可変表示を停止させる指示
を遊技者が入力するための停止操作手段とを備え、前記複数の表示列の可変表示が停止し
た状態における入賞ライン上の停止態様が所定の入賞態様の場合に賞に入賞し、入賞した
賞に応じて予め定められた遊技価値を付与し、前記賞には付与される前記遊技価値として
遊技媒体の払い出しを伴う小役賞と、付与される前記遊技価値として前記遊技媒体の支払
いなしに次のゲームを開始する条件を付与する再遊技賞と、付与される前記遊技価値とし
てゲームの種類を変更する開始賞とが含まれるスロットマシン。
【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
熱可塑性樹脂フィルムを基材とし、該基材の少なくとも片面に共重合ポリエステル樹脂又は共重合ポリエステル樹脂とポリウレタン系樹脂とを含む樹脂成分、及び粒子を含有する被覆層を設けてなる積層フィルムのロール状物であって、被覆層樹脂成分と粒子を主成分とする長径０．３ｍｍ以上の異物の含有量が３０個／１００ｍ2以下であることを特徴とする、積層熱可塑性樹脂フィルムロール。
【請求項２】
巻き長が１５００ｍ以上であり、幅が０．５ｍ以上である請求項１記載のフィルムロール。
【請求項３】
被覆層に含有される粒子が、酸化珪素からなる粒子であることを特徴とする、請求項１又は２記載の積層熱可塑性樹脂フィルムロール。
【請求項４】
熱可塑性樹脂フィルム基材中には実質的に粒子を含有しないことを特徴とする、請求項１〜３のいずれかに記載の積層熱可塑性樹脂フィルムロール。
【請求項５】
共重合ポリエステル樹脂溶液のヘイズが５％以下であることを特徴とする、請求項１〜４のいずれかに記載の積層熱可塑性樹脂フィルムロール。
【請求項６】
共重合ポリエステル樹脂が、共重合ポリエステル樹脂の溶液を、液温度１５℃以上、３５℃未満の条件下で濾過粒子サイズ０．５μｍ以上、１０μｍ以下のフィルターで濾過し、５０℃以上、７０℃未満に加温した後、さらに１５℃以上、３５℃未満の条件下で濾過粒子サイズ０．５μｍ以上、１０μｍ以下のフィルターで濾過して精製して得られたものであることを特徴とする、請求項５記載の積層熱可塑性樹脂フィルムロール。
【請求項７】
共重合ポリエステル樹脂又は共重合ポリエステル樹脂とポリウレタン系樹脂とを含む樹脂成分及び粒子を含む塗布液を、走行する熱可塑性樹脂フィルムの片面または両面に塗布する塗布工程、塗布層を乾燥する乾燥工程、次いで少なくとも一軸方向に延伸する延伸工程、さらに延伸された塗布フィルムを熱固定処理する熱固定処理工程を経て形成させてなる積層熱可塑性樹脂フィルムロールの製造方法であって、共重合ポリエステル樹脂が、共重合ポリエステル樹脂の溶液を、液温度１５℃以上、３５℃未満の条件下で濾過粒子サイズ０．５μｍ以上、１０μｍ以下のフィルターで濾過し、５０℃以上、７０℃未満に加温した後、さらに１５℃以上、３５℃未満の条件下で濾過粒子サイズ０．５μｍ以上、１０μｍ以下のフィルターで濾過して処理して得られたものであることを特徴とする、積層熱可塑性樹脂フィルムロールの製造方法。
【請求項８】
共重合ポリエステル樹脂又は共重合ポリエステル樹脂とポリウレタン系樹脂とを含む樹脂成分及び粒子を含む塗布液を、走行する熱可塑性樹脂フィルムの片面または両面に塗布する塗布工程、塗布層を乾燥する乾燥工程、次いで少なくとも一軸方向に延伸する延伸工程、さらに延伸された塗布フィルムを熱固定処理する熱固定処理工程を含み、共重合ポリエステル樹脂が、共重合ポリエステル樹脂の溶液を、液温度１５℃以上、３５℃未満の条件下で濾過粒子サイズ０．５μｍ以上、１０μｍ以下のフィルターで濾過し、５０℃以上、７０℃未満に加温した後、さらに１５℃以上、３５℃未満の条件下で濾過粒子サイズ０．５μｍ以上、１０μｍ以下のフィルターで濾過して処理して得られたものであることを特徴とする、請求項１〜５のいずれかに記載の積層熱可塑性樹脂フィルムロールの製造方法。
【請求項９】
塗布工程が、リバースロール・コート法、グラビア・コート法、キス・コート法、オフセットコート法又はこれらの方法の組み合わせにより行われる、請求項８記載の製造方法。
【請求項１０】
塗布工程において、塗布装置に、表面粗度が０．１Ｓ以下、真円度が５／１０００ｍｍ以下のアプリケーターロール、及びメタリングロールを用いることを特徴とする請求項８又は９記載の製造方法。 
【手続補正２】
【補正対象書類名】明細書
【補正対象項目名】００２４
【補正方法】変更
【補正の内容】
【００２４】
第５の発明は、共重合ポリエステル樹脂溶液のヘイズが５％以下であることを特徴とする、第１の発明から第４の発明のいずれかに記載の積層熱可塑性樹脂フィルムロールである。 
【手続補正３】
【補正対象書類名】明細書
【補正対象項目名】００２９
【補正方法】変更
【補正の内容】
【００２９】
第１０の発明は、塗布工程において、塗布装置に、表面粗度が０．１Ｓ以下、真円度が５／１０００ｍｍ以下のアプリケーターロール、及びメタリングロールを用いることを特徴とする第８の発明又は第９の発明に記載の製造方法である。
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
圧入部分の断面が一様な円形の孔部を有する第一の部材と、
上記孔部と相似形状で、かつ一定の断面の挿入部分を有する第二の部材とを用い、
上記第一の部材と第二の部材とを、ともに金属からなる材料とし、
上記第一の部材の孔部に対する第二の部材の圧入代を０．１ｍｍ以上０．３ｍｍ以下とし、
また上記第一の部材と上記第二の部材とが接合する圧入深さを（１−２×圧入代）ｍｍ以上（９−２０×圧入代）ｍｍ以下とし、
上記第一の部材と第二の部材との接合部の断面を直径５０ｍｍ以下とし、
上記第一の部材の孔部内に上記第二の部材を所定の圧力で押圧するとともに、これら両部材間に通電して両者の接合部に発生する電気抵抗熱により軟化させ、
上記第二の部材の挿入部分と上記孔部との両壁面同士の接触面間を、上記圧入時の滑り方向の移動によってしごくことにより表面の不純物層及び酸化皮膜を削って表面を清浄化しつつ上記第二の部材を上記孔部に圧入し、
上記第二の部材と上記孔部の内壁面部との両接合面部に接合界面を形成させ、かつこの接合を固相状態の接合とした圧入接合を行い、
上記圧入接合の後、再度上記第一の部材と上記第二の部材との間に通電し、両者の接合部に電気抵抗熱を発生させて焼き戻しを行うことを特徴とする圧入接合方法。
【請求項２】
圧入部分の断面が一様な円形の孔部を有する筒体からなる第一の部材と、
上記孔部と相似形状で、かつ一定の断面の挿入部分を有する第二の部材とを用い、
上記第一の部材と第二の部材とを、ともに金属からなる材料とし、
上記第一の部材の孔部に対する第二の部材の圧入代を０．１ｍｍ以上０．３ｍｍ以下とし、
また上記第一の部材と上記第二の部材とが接合する圧入深さを（１−２×圧入代）ｍｍ以上（９−２０×圧入代）ｍｍ以下とし、
上記第一の部材と第二の部材との接合部の断面を直径５０ｍｍ以下とし、
上記第一の部材の孔部内に上記第二の部材を所定の圧力で押圧するとともに、これら両部材間に通電して両者の接合部に発生する電気抵抗熱により軟化させ、
上記第二の部材の挿入部分と上記孔部との両壁面同士の接触面間を、上記圧入時の滑り方向の移動によってしごくことにより表面の不純物層及び酸化皮膜を削って表面を清浄化しつつ上記第二の部材を上記孔部に圧入し、
上記第二の部材と上記孔部の内壁面部との両接合面部に接合界面を形成させ、かつこの接合を固相状態の接合とした圧入接合であることを特徴とする圧入接合方法。
【請求項３】
上記圧入接合の後、再度上記第一の部材と上記第二の部材との間に通電し、両者の接合部に電気抵抗熱を発生させて焼き戻しを行うことを特徴とする請求項２に記載の圧入接合方法。
【請求項４】
上記第二の部材を円形の筒体に形成し、
上記第一の部材における上記第二の部材との接合部の内周を一様に拡径して第一の接合部を形成する一方、上記第二の部材の接合部の外周を一様に縮径して第二の接合部を形成し、
上記第一の接合部内に上記第二の接合部を接合したことを特徴とする請求項２又は請求項３に記載の圧入接合方法。
【手続補正２】
【補正対象書類名】明細書
【補正対象項目名】発明の名称
【補正方法】変更
【補正の内容】
【発明の名称】圧入接合方法
【手続補正３】
【補正対象書類名】明細書
【補正対象項目名】０００１
【補正方法】変更
【補正の内容】
【０００１】
本発明は、金属製要素部品を構成する部材同士の圧入接合方法に関する。
【手続補正４】
【補正対象書類名】明細書
【補正対象項目名】０００９
【補正方法】変更
【補正の内容】
【０００９】
本発明は、上記問題点に鑑みてなされたものであり、製造容易で経済効果に優れ、かつ仕上精度が良く強度的にも優れた圧入接合方法を提供することを目的としている。
【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
本体部に可視状に収容された景品を走行可能に展示する複数の段からなる払出景品展示部と、
前記複数の段に可視状に展示される前記景品を走行させるとともに選択的に払い出す景品払出機構部と、
前記景品が前記払出景品展示部に展示されるように前記景品払出機構部を駆動させる第１の操作部と、前記景品を前記払出景品展示部から払い出させるためのゲームを操作する第２の操作部とを有する操作部と、
前記ゲームおよび前記景品の払い出しを制御する制御部と、
を備え、
前記制御部は、前記第１の操作部の操作に基づいて前記景品払出機構部を駆動して前記景品を走行させるとともに、前記払出景品展示部に前記景品が配置されたことを検出すると前記景品払出機構部を停止させ、前記第２の操作部の操作に基づいて前記複数の段からひとつの段を選択して前記景品を払い出させるためのゲームを実行することを特徴とする景品払出装置。
【請求項２】
前記制御部は、前記第２の操作部の第１の操作に基づいて前記複数の段から前記ひとつの段を選択し、前記第２の操作部の第２の操作に基づいて前記ひとつの段から前記景品を払い出すか否かを決定することを特徴とする請求項１に記載の景品払出装置。
【手続補正２】
【補正対象書類名】明細書
【補正対象項目名】０００６
【補正方法】変更
【補正の内容】
【０００６】
従って、本発明の目的は、景品の数やサイズによって吊り下げや払出しの制約を生じる
ことなく、景品選択の自由度を高めることができ、ゲームの遊戯性をより高めることのできる景品払出装置を提供することにある。
【手続補正３】
【補正対象書類名】明細書
【補正対象項目名】０００７
【補正方法】変更
【補正の内容】
【０００７】
本発明は、上記した目的を達成するため、本体部に可視状に収容された景品を走行可能に展示する複数の段からなる払出景品展示部と、前記複数の段に可視状に展示される前記景品を走行させるとともに選択的に払い出す景品払出機構部と、前記景品が前記払出景品展示部に展示されるように前記景品払出機構部を駆動させる第１の操作部と、前記景品を前記払出景品展示部から払い出させるためのゲームを操作する第２の操作部とを有する操作部と、前記ゲームおよび前記景品の払い出しを制御する制御部と、を備え、前記制御部は、前記第１の操作部の操作に基づいて前記景品払出機構部を駆動して前記景品を走行させるとともに、前記払出景品展示部に前記景品が配置されたことを検出すると前記景品払出機構部を停止させ、前記第２の操作部の操作に基づいて前記複数の段からひとつの段を選択して前記景品を払い出させるためのゲームを実行することを特徴とする景品払出装置を提供する。
【手続補正４】
【補正対象書類名】明細書
【補正対象項目名】０００８
【補正方法】変更
【補正の内容】
【０００８】
本発明によれば、景品選択の自由度を高めることができ、ゲームの遊戯性をより高めることができる。
【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
特定波長光を発するレーザー光源と、そのレーザー光源から発された光を挿入部の先端部で内視対象物に拡散照射する拡散光学部材と、を備えた内視鏡装置において、
前記レーザー光源の光を励起光として別の波長の光を発する蛍光体を有し、かつ前記挿入部の先端部に脱着自在に取り付けられるアダプタを設け、
さらに、このアダプタの蛍光体と前記拡散光学部材の間にあって拡散光学部材から照射された光の拡散を防止する拡散防止部材を設けたことを特徴とする内視鏡装置。
【請求項２】
前記拡散防止部材をアダプタに一体に取り付けたことを特徴とする請求項１に記載の内視鏡装置。
【請求項３】
前記アダプタは、挿入部の先端部とアダプタの間に設けられたねじ螺合部によって脱着可能にされていることを特徴とする請求項１または２に記載の内視鏡装置。
【請求項４】
前記拡散防止部材は、内周に鏡面が設けられ、その内部を光が通過する円筒部材であることを特徴とする請求項１〜３のいずれかに記載の内視鏡装置。
【請求項５】
前記拡散防止部材は、内周面が光を反射する透明中実部材であることを特徴とする請求項１〜３のいずれかに記載の内視鏡装置。
【請求項６】
前記拡散防止部材は、コアとクラッドを有し、コアの外周内面が光を反射する透明中実部材であることを特徴とする請求項１〜３のいずれかに記載の内視鏡装置。
【請求項７】
前記拡散防止部材は、集光レンズであることを特徴とする請求項１〜３のいずれかに記載の内視鏡装置。
【請求項８】
前記レーザー光源が発する光は、４５０ｎｍ以下の波長光であることを特徴とする請求項１〜７のいずれかに記載の内視鏡装置。
【請求項９】
前記レーザー光源は、レーザーダイオードであることを特徴とする請求項１〜８のいずれかに記載の内視鏡装置。
【請求項１０】
前記蛍光体は、励起光を受けて４００ｎｍ〜６５０ｎｍの波長を含む光を発することを特徴とする請求項１〜９のいずれかに記載の内視鏡装置。
【請求項１１】
前記蛍光体を設けたアダプタを前記挿入部の先端に装着することにより、白色光を照射することを特徴とする請求項１〜９のいずれかに記載の内視鏡装置。
【請求項１２】
前記蛍光体は、励起光を受けて６００ｎｍ以上の波長の光を発することを特徴とする請求項１〜９のいずれかに記載の内視鏡装置。
【請求項１３】
前記蛍光体は、励起光を受けて４５０ｎｍ以下の前記励起光とは異なる波長の光を発することを特徴とする請求項１〜９のいずかに記載の内視鏡装置。
【請求項１４】
内視鏡の挿入部に脱着自在に取り付けられる内視鏡用アダプタであって、
特定波長光の拡散を防止する拡散防止部材と、
この拡散防止部材によって拡散を防止された前記特定波長光を励起光として、この特定波長光と異なる波長光を発光する蛍光体と、
を有することを特徴とする内視鏡用アダプタ。
【請求項１５】
前記挿入部が特定波長光を拡散させる拡散光学部材を備え、
その拡散光学部材と前記拡散防止部材との位置決めを行って、前記拡散光学部材によって拡散された前記特定波長光の漏れを防止する係止部を有することを特徴とする請求項１４に記載の内視鏡用アダプタ。
【請求項１６】
前記特定波長光は、レーザ光であることを特徴とする請求項１４又は請求項１５に記載の内視鏡用アダプタ。
【手続補正２】
【補正対象書類名】明細書
【補正対象項目名】発明の名称
【補正方法】変更
【補正の内容】
【発明の名称】内視鏡装置及び内視鏡用アダプタ
【手続補正３】
【補正対象書類名】明細書
【補正対象項目名】０００１
【補正方法】変更
【補正の内容】
【０００１】
この発明は、医療用や工業用等に用いられる内視鏡装置及び内視鏡用アダプタに関するものである。
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
放出したウォーターミストがプール火災の火炎基部に生じる空気流に乗って火炎内部に到達することにより、消火することを特徴とするプール火災の消火方法。
【請求項２】
ウォーターミストを用いたプール火災消火装置であって、
水及び不活性ガスから形成されるウォーターミストを送給する送給手段と、
前記ウォーターミストが前記プールの側方から前記プール火災における火炎に到達するように配置された１又は２以上のノズルとを備える
プール火災消火装置。
【請求項３】
前記ノズルが、前記プールの側方に配置され、かつ前記プールの側方に向けて放出される
請求項２に記載のプール火災消火装置。
【請求項４】
前記ノズルが、前記プールが配置されている面よりも下方に形成された凹部内に配置され、かつ前記ウォーターミストがスリットを介して前記プールの側方から前記プール火災における火炎に到達するように配置された
請求項２に記載のプール火災消火装置。
【請求項５】
前記ノズルが、前記プールが配置されている面よりも下方に形成された凹部内に配置され、かつ前記ウォーターミストが前記凹部を覆う浮き上がり蓋との隙間を介して前記プールの側方から前記プール火災における火炎に到達するように配置された
請求項２に記載のプール火災消火装置。
【請求項６】
前記プールが周囲を壁で覆われた空間内に配置され、
前記ノズルが、前記プールが配置されている面よりも上方に配置され、かつ前記ウォーターミストが前記壁を介して前記プールの側方から前記プール火災における火炎に到達するように配置された
請求項２に記載のプール火災消火装置。
【手続補正２】
【補正対象書類名】明細書
【補正対象項目名】発明の名称
【補正方法】変更
【補正の内容】
【発明の名称】プール火災の消火方法及びプール火災消火装置
【手続補正３】
【補正対象書類名】明細書
【補正対象項目名】０００１
【補正方法】変更
【補正の内容】
【０００１】
本発明は、油等のプール火災をウォーターミストで消火する方法及びプール火災消火装置に関するものである。
【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
第１電気機械変換素子の伸縮方向一端に固定された挟み込み錘と、 前記挟み込み錘に伸縮方向一端が固定された第２電気機械変換素子と、 前記第２電気機械変換素子の伸縮方向他端に固定された駆動摩擦部材と、 前記駆動摩擦部材に摩擦係合した移動体と、 前記第１電気機械変換素子および前記第２電気機械変換素子に交流の駆動電圧を印加する駆動回路と、 前記駆動回路に流れる電流値を検出して該電流値に応じた出力をする電流検出回路と、 前記電流検出回路の出力を受け取って前記駆動回路の駆動電圧の周波数を変化させる制御手段とを備えることを特徴とする駆動装置。
【請求項２】
前記制御手段は、前記電流検出回路が検出する電流値が最大となるように前記駆動電圧の周波数を変化させることを特徴とする請求項１に記載の駆動装置。
【請求項３】
前記駆動電圧は、矩形波であることを特徴とする請求項１または２に記載の駆動装置。
【手続補正２】
【補正対象書類名】明細書
【補正対象項目名】００１６
【補正方法】変更
【補正の内容】
【００１６】
前記課題を解決するために、本発明の駆動装置は、第１電気機械変換素子の伸縮方向一端に固定された挟み込み錘と、前記挟み込み錘に伸縮方向一端が固定された第２電気機械変換素子と、前記第２電気機械変換素子の伸縮方向他端に固定された駆動摩擦部材と、前記駆動摩擦部材に摩擦係合した移動体と、前記第１電気機械変換素子および前記第２電気機械変換素子に交流の駆動電圧を印加する駆動回路と、前記駆動回路に流れる電流値を検出して該電流値に応じた出力をする電流検出回路と、前記電流検出回路の出力を受け取って前記駆動回路の駆動電圧の周波数を変化させる制御手段とを備えるものとする。
【手続補正書】
【提出日】平成19年5月17日(2007.5.17)
【手続補正１】
【補正対象書類名】特許請求の範囲
【補正対象項目名】請求項３
【補正方法】変更
【補正の内容】
【請求項３】
請求項１又は２に記載のステータに組み合わせるロータは０．２ｍｍ以下で厚みがあるロータヨークと該ロータヨークに保持された前記軸方向空隙型マグネットと、該マグネットの外方で前記ロータヨークに配された偏心ウエイトからなり、軸を介してヨークブラケットとカバー部材に回転自在に格納されたことを特徴とする軸方向空隙型ブラシレスモータ。
【手続補正２】
【補正対象書類名】明細書
【補正対象項目名】０００５
【補正方法】変更
【補正の内容】
【０００５】
上記課題を解決するには、請求項１に示すように軸方向空隙型マグネットが備えられたロータを駆動するステータであって、印刷配線板からなるステータベースは少なくとも１個の巻線型空心電機子コイルが配されると共に少なくとも１個の印刷配線型空心電機子コイルとが形成され、該印刷配線型空心電機子コイルの少なくとも一部に磁性薄膜を形成することによって前記ロータと組みあわせてデイテントトルクを発生させることで達成できる。
具体的には、請求項２に示すように前記巻線型空心電機子コイルは前記印刷配線板の第１面に配されると共に、該印刷配線型空心電機子コイルは少なくとも一部が第２面に形成されて前記巻線型空心電機子コイルと単相に結線されており、前記磁性薄膜は磁性メッキで形成され、さらに、該印刷配線板の前記第１面に平面視で巻線型空心電機子コイルと重畳しないように駆動回路部材が配されたものがよい。
そして、これらのステータを使用して軸方向空隙型ブラシレスモータにするには、請求項３に示すように請求項１又は２に記載のステータに組み合わせるロータは０．２ｍｍ以下で厚みがあるロータヨークと該ロータヨークに保持された前記軸方向空隙型マグネットと、該マグネットの外方で前記ロータヨークに配された偏心ウエイトからなり、軸を介してヨークブラケットとカバー部材に回転自在に格納されたものにすると達成できる。
【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
入力信号の利得を切替制御して出力する帰還型の利得制御増幅回路であって、
入力された前記入力信号を増幅して出力する増幅部と、
前記増幅部の反転入力部と出力部との間に接続された帰還部と、
前記入力信号が入力される前記増幅部の入力側に設けられた、前記利得を切替制御するとともに前記利得の切替えに関わらず前記帰還部との間での帰還量を一定に維持する利得制御部と
を備えたことを特徴とする利得制御増幅回路。
【請求項２】
前記増幅部は、入力側に、反転入力端子と非反転入力端子とを備えた演算増幅回路を有して構成されている
ことを特徴とする請求項１に記載の利得制御増幅回路。
【請求項３】
前記増幅部は、電圧帰還回路で構成されている
ことを特徴とする請求項１に記載の利得制御増幅回路。
【請求項４】
前記利得制御部は、
利得を設定するための利得設定素子と、
前記利得設定素子の接続状態を、前記入力信号を受け取る側および前記増幅部の動作における基準動作点の何れか一方に切り替える切替部と
を有することを特徴とする請求項１に記載の利得制御増幅回路。
【請求項５】
前記利得制御部は、
前記入力信号を受け取る側である入力端と前記増幅部の信号入力部と接続される側である出力端との間に、前記切替部が前記入力端側となり、前記利得設定素子が前記出力端側となるように縦続配置され、
前記切替部は、前記利得設定素子の前記入力端側を、前記入力端および前記増幅部の動作における基準動作点の何れか一方に切替可能に構成されている
ことを特徴とする請求項４に記載の利得制御増幅回路。
【請求項６】
全体として、反転増幅回路として構成されている
ことを特徴とする請求項１に記載の利得制御増幅回路。
【請求項７】
前記反転増幅回路を構成する前記増幅部は、入力側に、反転入力端子と非反転入力端子とを備えた演算増幅回路を有して構成されており、
前記利得制御部は、利得を設定するための利得設定素子と、前記利得設定素子の接続状態を、前記入力信号を受け取る側および前記演算増幅回路の前記非反転入力端子への電圧供給点の何れか一方に切り替える切替部と
を有することを特徴とする請求項６に記載の利得制御増幅回路。
【請求項８】
記録および／または再生に供される媒体に対して、データを記録あるいは再生する記録再生装置であって、
前記媒体を回転させるとともに、この回転における動作状態を示す信号を取得して前記回転の動作を制御する回転サーボ回路を備え、
前記回転サーボ部は、前記動作状態を示す信号の利得を切替制御して出力する帰還型の利得制御増幅回路として、
入力された前記動作状態を示す信号を増幅して出力する増幅部と、
前記増幅部の反転入力部と出力部との間に接続された帰還部と、
前記動作状態を示す信号が入力される前記増幅部の入力側に設けられた、前記利得を切替制御するとともに前記利得の切替えに関わらず前記帰還部との間での帰還量を一定に維持する利得制御部と
を有することを特徴とする記録再生装置。
【請求項９】
記録および／または再生に供される媒体に対して、データを記録あるいは再生する記録再生装置であって、
前記記録あるいは再生の信号を増幅する機能部として、
入力された前記記録あるいは再生の信号を増幅して出力する増幅部と、
前記増幅部の反転入力部と出力部との間に接続された帰還部と、
前記記録あるいは再生の信号が入力される前記増幅部の入力側に設けられた、前記利得を切替制御するとともに前記利得の切替えに関わらず前記帰還部との間での帰還量を一定に維持する利得制御部と
を有することを特徴とする記録再生装置。
【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
入力デジタル信号が第１の信号レベルから第２の信号レベルに遷移したことを判別し、その判別の結果を出力する信号遷移判別装置であって、
前記入力デジタル信号が第１の信号レベルから第２の信号レベルに遷移する際の遷移特性を信号パターン化した信号遷移パターンを設定する設定手段と、
前記入力デジタル信号と、前記遷移パターン設定手段により設定された信号遷移パターンとを比較することで、前記入力デジタル信号の信号レベルの遷移を判別する判別手段と、を有することを特徴とする信号遷移判別装置。
【請求項２】
前記判別手段は、
前記信号遷移パターンを発生させる信号遷移パターン発生部と、
前記入力デジタル信号と前記信号遷移パターン発生部により発生される前記信号遷移パターンとを比較して、一致／不一致の判定信号を出力する一致判定部と、
前記一致判定部により出力される前記一致の判定信号を所定数計数したときに、前記入力デジタル信号が第１の信号レベルから第２の信号レベルに遷移したことを示す前記入力デジタル信号の遷移検出信号を出力する一致計数部と、を有することを特徴とする請求項１記載の信号遷移判別装置。
【請求項３】
前記設定手段は、
前記信号遷移パターンを動作環境のパラメータと対応付けて記憶する記憶部と、
前記動作環境のパラメータを取得するパラメータ取得部と、を有し、
前記パラメータ取得手段により取得された前記動作環境のパラメータに対応した前記信号遷移パターンを設定することを特徴とする請求項１記載の信号遷移判別装置。
【請求項４】
前記設定手段は、
前記判別手段における信号判別状態を学習し、その学習結果に従って前記記憶部に記憶された信号遷移パターンを更新する学習手段を有する、ことを特徴とする請求項３記載の信号遷移判別装置。
【請求項５】
前記学習手段は、所定のアルゴリズムに基づいて学習モードとデフォルトモードを切替えることを特徴とする請求項４記載の信号遷移判別装置。
【請求項６】
前記学習モードからデフォルトモードへの切替えは、学習効果が薄れたとき又は高速動作要求時に行われることを特徴とする請求項５記載の信号遷移判別装置。
【請求項７】
前記設定手段は、
前記判別手段における信号判別状態を監視して、その監視結果を記録する状態監視手段を有する、ことを特徴とする請求項１記載の信号遷移判別装置。
【請求項８】
前記状態監視手段は、状態監視状況を外部に報知する報知手段を有することを特徴とする請求項７記載の信号遷移判別装置。
【請求項９】
入力デジタル信号が第１の信号レベルから第２の信号レベルに遷移したことを判別し、その判別の結果を出力する信号遷移判別方法であって、
前記入力デジタル信号が第１の信号レベルから第２の信号レベルに遷移する際の遷移特性を信号パターン化した信号遷移パターンを設定する設定段階と、
前記入力デジタル信号と、前記設定された信号遷移パターンとを比較することで、前記入力デジタル信号の信号レベルの遷移を判別する判定段階と、から成ることを特徴とする信号遷移判別方法。
【手続補正書】
【提出日】平成19年4月9日(2007.4.9)
【手続補正１】
【補正対象書類名】明細書
【補正対象項目名】０００６
【補正方法】変更
【補正の内容】
【０００６】
特許文献１に記載される情報表示装置付きパーティションは、単に通信ケーブルを介して送られてくる情報等を表示するものである。そのため、例えば、ユーザがパーティションの向こう側、例えば向こう側にある窓の外を見たいときは、この情報表示装置付きパーティションにおいても、情報表示装置が付いていないパーティションと同様に、パーティションが邪魔にならない位置までユーザ自身が移動することが必要であり、ユーザにとって非常に煩わしいものであった。
【手続補正２】
【補正対象書類名】明細書
【補正対象項目名】００２０
【補正方法】変更
【補正の内容】
【００２０】
このついたて装置１００は、空間を分割する、長方形状の隔板部１１０を有している。この隔板部１１０は長方形状の基台部１２０の長手方向の一端から植立した状態で、当該基台部１２０に連接されている。
【手続補正３】
【補正対象書類名】明細書
【補正対象項目名】００４７
【補正方法】変更
【補正の内容】
【００４７】
取り付け時の動作を説明する。図７に示す状態から、化粧板３１２にテレビ受信機１３１の固定部１３３を対応させ、当該テレビ受信機１３１を背面方向に押し込んでいく。図９は、テレビ受信機１３１を少し押し込んだ状態を示している。なお、この図９は化粧板３１１の部分のみを示し、化粧板３１３の部分については、化粧板３１１の部分と同様の動きとなるので省略している。これは、以下の図においても同様である。図１０は、図９の状態から、テレビ受信機１３１をさらに押し込んだ状態を示している。
【手続補正４】
【補正対象書類名】明細書
【補正対象項目名】００４８
【補正方法】変更
【補正の内容】
【００４８】
図１１は、図１０の状態から、テレビ受信機１３１をさらに押し込んだ状態を示している。この状態に至るまでに、テレビ受信機１３１の固定部１３３が作用片３５７の傾斜部３５６に当接され、それによってロック部３５８がコイルバネ３６１の付勢力に逆らって上方向に動いていき、ロック部３５８は図示の位置まで動く。
【手続補正５】
【補正対象書類名】明細書
【補正対象項目名】００５２
【補正方法】変更
【補正の内容】
【００５２】
また、上述したように、テレビ受信機１３１を押し込んでいくと、トグルロック機構３５９に関しては、図１３に示す状態となる。この状態に至るまでに、テレビ受信機１３１の固定部１３３が作用片３５７の傾斜部３５６に当接され、それによってロック部３５８がコイルバネ３６１の付勢力に逆らって上方向に動いていき、ロック部３５８は図示の位置まで動く。これにより、トグルロック機構３５９は第２のロック状態が解除された状態となる。
【手続補正６】
【補正対象書類名】明細書
【補正対象項目名】００５４
【補正方法】変更
【補正の内容】
【００５４】
この図１４の状態では、ロック部３５８のロック用爪３５５は、テレビ受信機１３１の固定部１３３が存在する位置まで移動することはない。したがって、化粧板３１２に接続されたコイルバネ３７１等の正面方向への付勢力により、テレビ受信機１３１は正面方向に押し戻され、テレビ受信機１３１の前面側が隔板部１１０から飛び出した状態となる。これにより、ユーザは、テレビ受信機１３１を容易に取り外すことができる。
【手続補正７】
【補正対象書類名】明細書
【補正対象項目名】００５９
【補正方法】変更
【補正の内容】
【００５９】
次に、ついたて装置１００の信号処理系について説明する。ついたて装置１００の信号処理部５００は、例えば、図１７に破線で示すように、基台部１２０に内蔵されている。リモコン受光部１５０で受信されたリモコン信号は、隔板部１１０の内部に配線された信号線により信号処理部５００に供給される。また、信号処理部５００からの出力音声に係る音声信号は、隔板部１１０の内部に配線された信号線によりスピーカ１４１Ｌ，１４１Ｒに供給される。
【手続補正８】
【補正対象書類名】明細書
【補正対象項目名】００８６
【補正方法】変更
【補正の内容】
【００８６】
また、信号分配部１０５は、ＡＶセンタ２００から送られてきた画像信号ＳＶを、テレビ受信機１３１-1〜１３１-9のそれぞれに供給できる。この場合、テレビ受信機１３１-1〜１３１-9では、それぞれ、その画像信号ＳＶによる画像を並行して表示できる。そしてこの場合、信号分配部１０５は、ＡＶセンタ２００から送られてきた音声信号ＳＡをスピーカ１４１Ｌ，１４１Ｒに供給する。これにより、スピーカ１４１Ｌ，１４１Ｒからは、テレビ受信機１３１-1〜１３１-9に表示された画像に対応した音声が出力される。
【手続補正９】
【補正対象書類名】明細書
【補正対象項目名】００８７
【補正方法】変更
【補正の内容】
【００８７】
また、信号分配部１０５は、ＡＶセンタ２００から送られてきた画像信号ＳＶを、テレビ受信機１３１-1〜１３１-9のうち、いずれか一つ、例えば中央位置のテレビ受信機１３１-5に供給できる。この場合、その画像信号ＳＶが供給されたテレビ受信機では、その画像信号ＳＶによる画像を表示できる。そしてこの場合、信号分配部１０５は、ＡＶセンタ２００から送られてきた音声信号ＳＡをスピーカ１４１Ｌ，１４１Ｒに供給する。これにより、スピーカ１４１Ｌ，１４１Ｒからは、いずれか一つのテレビ受信機に表示された画像に対応した音声が出力される。
【手続補正１０】
【補正対象書類名】明細書
【補正対象項目名】００９１
【補正方法】変更
【補正の内容】
【００９１】
この場合、信号分配部１０５は、ＡＶセンタ２００から送られてきた音声信号ＳＡをスピーカ１４１Ｌ，１４１Ｒに供給する。これにより、スピーカ１４１Ｌ，１４１Ｒからは、テレビ受信機１３１-1〜１３１-9に表示された拡大画像に対応した音声が出力される。
【手続補正１１】
【補正対象書類名】図面
【補正対象項目名】図８
【補正方法】変更
【補正の内容】
【図８】
2005323114.tif 000001
【手続補正書】
【提出日】平成19年4月27日(2007.4.27)
【手続補正１】
【補正対象書類名】明細書
【補正対象項目名】００１７
【補正方法】変更
【補正の内容】
【００１７】
さらには、軸方向に弾性を有して伸縮する円筒部が設けられることで、棒状化粧材が軸方向に微かに伸縮するため、使用者は固い芯材でもソフトなタッチで、柔らかい芯材ならよりソフトに感じながら化粧を施すことができる。
【手続補正２】
【補正対象書類名】明細書
【補正対象項目名】００３６
【補正方法】変更
【補正の内容】
【００３６】
図４は、カートリッジ１を容器本体２に嵌着した状態を示す図で、カートリッジ１の容器本体嵌入部ｂは、容器本体２の前部開口孔４１より挿入され、腔部４３に収容され、嵌合凹部４２と容器本体嵌入部ｂに突設された嵌合凸部２７との嵌合によって、容器本体２に確実に連結される。この際、係合リブ２４と、容器本体２内のスプライン係合部４４がスプライン係合することで、基筒２０は容器本体２と同期に回動する。
【手続補正３】
【補正対象書類名】明細書
【補正対象項目名】００４４
【補正方法】変更
【補正の内容】
【００４４】
後退限でのクラッチ回転は、前進限のクラッチ回転とは異なり、クラッチの振動が棒状化粧材を爪片３２より押し出す方向に力が加わるのを防ぐために、鍵状スリット３５ａが設置されている。
【手続補正４】
【補正対象書類名】明細書
【補正対象項目名】００５１
【補正方法】変更
【補正の内容】
【００５１】
図６に示される摘み部ａ’と容器本体嵌入部ｂ’より全姿が形成されるカートリッジは、図３に示される容器本体３に装填されると、摘み部ａ’と容器本体２との回動によって基筒１２０の係合リブ１２４によって容器本体２と基筒１２０は同期に回転し、先筒１１０と基筒１２０の回動によって繰出機構が作動し、棒状化粧材Ｂは先筒１１０の先端開口孔１１１より進出し、化粧を可能とする。化粧を施す際、芯チャック部材１３０の円筒部１３５に形成した螺条スリット１３５ａによって軸方向に弾性をもって棒状化粧材Ｂが使用者の肌に当接するため、ソフトなタッチでの化粧を可能とする。
【手続補正５】
【補正対象書類名】明細書
【補正対象項目名】００６２
【補正方法】変更
【補正の内容】
【００６２】
１・・・・カートリッジ
２・・・・容器本体
３・・・・キャップ
４・・・・マスカラ刷毛
５・・・・カートリッジ式棒状化粧材繰出容器
Ａ・・・・棒状化粧材
ａ・・・・摘み部
ｂ・・・・容器本体嵌入部
ｃ・・・・先筒嵌入部
１０・・・先筒
１１・・・先端開口孔
１２・・・摺動溝
１３・・・貫通孔
１４・・・腔部
１５・・・嵌合凹部
１６・・・端面
２０・・・基筒
２０ａ・・Ｏリング
２０ｂ・・Ｏリング
２１・・・上部開口部
２２・・・螺旋部
２３・・・ローレット状螺旋
２４・・・係合リブ
２５・・・有底部
２６・・・先筒嵌合部
２７・・・嵌合凸部
３０・・・芯チャック部材
３１・・・棒状化粧材保持部
３２・・・爪片
３３・・・凸条
３４・・・棒軸
３５・・・円筒部
３５ａ・・スリット
３５ｂ・・スリット
３６・・・係合突起
３７・・・凸片
３８・・・繰上当接部
１０１・・カートリッジ
Ｂ・・・・棒状化粧材
１１０・・先筒
１１１・・先端開口孔
１１２・・摺動溝
１１３・・貫通孔
１１７・・当接段部
１２０・・基筒
１２２・・螺旋部
１２２ａ・螺旋部上端部
１２３・・ローレット状螺旋
１２４・・係合リブ
１３０・・芯チャック部材
１３２・・爪片
１３４・・棒軸
１３５・・円筒部
１３５ａ・螺条スリット
１３６・・係合突起
１３６ａ・係合突起下端部
１３８・・繰上当接部
２０１・・カートリッジ
Ｃ・・・・棒状化粧材
２１０・・先筒
２１１・・先端開口孔
２１２・・摺動溝
２１３・・貫通孔
２２０・・基筒
２３０・・芯チャック部材
２３１・・棒状化粧材保持部
２３２・・爪片
２３３・・凸条
２３５・・円筒部
２３５ａ・鍵状スリット
２３６・・係合突起
【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
汚れと水分を空気と共に吸引する吸引ノズルと、該吸引ノズルから吸引される汚れ、水分及び空気の混合流を導通する吸引ホースと、該混合流から汚れと水分を分離する気水分離器と、該混合流を吸引する出力１．５ｋＷ以下の電動ファンと、該混合流から分離される汚れと水分を貯溜する汚水タンクとを備えた湿式電気掃除機であって、
前記気水分離器は、上板、該上板に設けられた前記混合流の導入筒、前記汚水タンクと連通する液導出口、該導入筒の周囲に設けられた複数個の隔壁を備える湿式電気掃除機。
【請求項２】
前記隔壁が、筒状隔壁であり、該筒状隔壁が前記導入筒を囲むように少なくとも２個設けられ、少なくとも２個の該筒状隔壁により、該導入筒の外方に、順次少なくとも第１室、第２室及び第３室が形成され、
前記導入筒と前記第１室から前記第３室までは、前記混合流が蛇行経路を形成する状態で連通している請求項１記載の湿式電気掃除機。
【請求項３】
前記汚水タンクは前記気水分離器の下に配置されており、前記液導出口は、その径が該汚水タンク内部方向に向かうにつれて減少し、前記導入筒の下に配置されている請求項１又は２に記載の湿式電気掃除機。
【請求項４】
前記気水分離器の底板には、その上に溜った水を前記汚水タンクに導出する補助導出孔が設けられている請求項１〜３の何れかに記載の湿式電気掃除機。
【請求項５】
前記導入筒の内部空間の横断面積Ｓ０は、５〜２０ｃｍ2であり、
前記導入筒の内部空間の横断面積Ｓ０に対する前記第１室の内部空間の横断面積Ｓ１の面積比（Ｓ１／Ｓ０）は、５〜２０であり、
前記導入筒の筒壁と最内側の前記筒状隔壁との上下方向の重なり長さＬ１が２〜１０ｃｍである請求項２〜４の何れかに記載の湿式電気掃除機。
【請求項６】
前記導入筒は円筒形状であり、前記液導出口の上部の内径Ｄ２とその下部の内径Ｄ３と該導入筒の内径Ｄ０との関係がＤ２＞Ｄ０＞Ｄ３である請求項３〜５の何れかに記載の湿式電気掃除機。
【手続補正２】
【補正対象書類名】明細書
【補正対象項目名】０００７
【補正方法】変更
【補正の内容】
【０００７】
本発明は、汚れと水分を空気と共に吸引する吸引ノズルと、該吸引ノズルから吸引される汚れ、水分及び空気の混合流を導通する吸引ホースと、該混合流から汚れと水分を分離する気水分離器と、該混合流を吸引する出力１．５ｋＷ以下の電動ファンと、該混合流から分離される汚れと水分を貯溜する汚水タンクとを備えた湿式電気掃除機であって、前記気水分離器は、上板、該上板に設けられた前記混合流の導入筒、前記汚水タンクと連通する液導出口、該導入筒の周囲に設けられた複数個の隔壁を備える湿式電気掃除機を提供することにより、上記目的を達成したものである。
【手続補正３】
【補正対象書類名】明細書
【補正対象項目名】００４５
【補正方法】変更
【補正の内容】
【００４５】
１  湿式電気掃除機
１０  噴射吸引ノズル
１１  吸引ノズル
１２  吸引ホース
１３  気水分離器
１４  汚水タンク
１５  電動ファン
１６  フィルタ
２０  ハウジング
２１  前輪
２２  後輪
３１  導入筒
３１Ａ  筒壁
３２  第１室
３２Ａ  第１隔壁（最内側の筒状隔壁）
３３  第２室
３３Ａ  第２隔壁
３４  第３室
３４Ａ  外周壁
３５  上板
３６  底板
３７  液導出口
３８  排出部
４１  補助導出孔
５１  噴射ノズル
５２  送液チューブ
５３  送液ポンプ
５４  連結チューブ
５５  給液タンク
Ａ  混合流
Ｂ  汚水
Ｃ  空気
Ｗ  洗浄液
【手続補正書】
【提出日】平成19年4月19日(2007.4.19)
【手続補正１】
【補正対象書類名】明細書
【補正対象項目名】００１４
【補正方法】変更
【補正の内容】
【００１４】
即ち、目押し習得者は、上から下に向かって変動表示する図柄を目押しすることに慣れているため、変動表示方向が上から下に向かう方向とは異なる方向に変化すると、目押しによって、図柄を特定図柄で停止表示させることが難しくなる。このため、目押し習得者であっても、特定遊技権利が発生してから特定遊技が提供されるまでに費やすゲーム数（図柄の停止表示を行なった回数）が多くなる。従って、当該遊技機において、目押し習得者が、特定遊技権利が発生してから少ないゲーム数（図柄の停止表示を行なった回数）で図柄を特定図柄で停止表示させることができた場合には、喜びを得ることができる。即ち、目押し習得者の遊技中の興趣を向上させることができる。
【手続補正２】
【補正対象書類名】明細書
【補正対象項目名】００９７
【補正方法】変更
【補正の内容】
【００９７】
即ち、目押し習得者は、上から下に向かって変動表示する図柄を目押しすることに慣れているため、変動表示方向が上から下に向かう方向とは異なる方向に変化すると、目押しによって、遊技図柄をＢＢ入賞組合せ（ＲＢ入賞組合せ）で停止表示させることが難しくなる。このため、目押し習得者であっても、ＢＢ抽選（ＲＢ抽選）に当選してからＢＢゲーム（ＲＢゲーム）が提供されるまでに費やすゲーム数（遊技図柄の停止表示を行なった回数）が多くなる。従って、当該遊技機１において、目押し習得者が、ＢＢ抽選（ＲＢ抽選）に当選してから少ないゲーム数で遊技図柄をＢＢ入賞組合せ（ＲＢ入賞組合せ）で停止表示させることができた場合には、喜びを得ることができる。即ち、目押し習得者の遊技中の興趣を向上させることができる。
【手続補正３】
【補正対象書類名】明細書
【補正対象項目名】０１６２
【補正方法】変更
【補正の内容】
【０１６２】
即ち、目押し習得者は、上から下に向かって変動表示する図柄を目押しすることに慣れているため、変動表示方向が上から下に向かう方向とは異なる方向に変化すると、目押しによって、遊技図柄をＢＢ入賞組合せ（ＲＢ入賞組合せ）で停止表示させることが難しくなる。
【手続補正書】
【提出日】平成19年5月11日(2007.5.11)
【手続補正１】
【補正対象書類名】明細書
【補正対象項目名】００２３
【補正方法】変更
【補正の内容】
【００２３】
網状管３の外周への外皮４の被覆は、網状管３の外周にポリエステルエラストマーとグラフトコポリマーの樹脂混合物を押出し成形することで行われる。この樹脂混合物のポリエステルエラストマーとグラフトコポリマーの混合比は、可撓管の可撓性を微妙に調整するように、適宜選択することが出来る。通常、１：６〜６：１の範囲で使用される。
【手続補正２】
【補正対象書類名】明細書
【補正対象項目名】００３３
【補正方法】変更
【補正の内容】
【００３３】
１．外皮の割れ
外皮の割れが認められず、水密状態を維持している状態を○、外皮の割れが認められ、水密状態を維持出来ない状態を×とした。
【表１】
2005323682.tif 000001
【手続補正３】
【補正対象書類名】明細書
【補正対象項目名】００３５
【補正方法】変更
【補正の内容】
【００３５】
２．コート層の剥離
コート層の剥離が認められない状態を○、コート層の剥離が認められる状態を×とした。
【表２】
2005323682.tif 000002
【手続補正４】
【補正対象書類名】明細書
【補正対象項目名】００３７
【補正方法】変更
【補正の内容】
【００３７】
３．外皮の変形、シワ
熱による外皮の変形、シワが発生しない場合を○、熱による外皮の変形、シワの発生により使用不可と判断される場合を×とした。
【表３】
2005323682.tif 000003
【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
通常再生速度よりも速い速度で動画像データを再生する高速再生モードを有する再生装置であって、
記録媒体から動画像データを読み出す読み出し手段と、
前記記録媒体より読み出した動画像データを一時的に保存する一時記憶手段と、
前記動画像データ中の再生開始位置から、前記高速再生モードにおける再生速度に応じた間隔で前記動画像データの一部のフレームを選択して前記記録媒体から読み出し、前記読み出した一部のフレームの動画像データを前記一時記憶手段に保存するよう前記読み出し手段を制御する制御手段
とを備えることを特徴とする再生装置。
【請求項２】
前記制御手段は前記高速再生モードにおける再生速度に応じた所定数のフレーム毎に１フレームを選択し、前記選択した一部の動画像データを読み出すよう前記読み出し手段を制御することを特徴とする請求項１に記載の再生装置。
【請求項３】
互いに異なる速度で前記動画像データを高速再生する複数の前記高速再生モードを有し、
前記制御手段は、前記複数の高速再生モードにそれぞれ応じた間隔で前記動画像データの一部のフレームを選択して前記記録媒体から読み出して前記一時記憶手段に記憶するよう前記読み出し手段を制御する
ことを特徴とする請求項１に記載の再生装置。
【請求項４】
前記制御手段は更に、前記複数の高速再生モードに対応した前記動画像データの一部のフレームをそれぞれｎフレーム分（ｎは２以上の所定の整数）読み出して前記一時記憶手段に保存するよう前記読み出し手段を制御することを特徴とする請求項３に記載の再生装置。
【請求項５】
前記一部記憶手段に保存された動画像データを読み出して出力する出力手段を備え、前記出力手段は前記複数の高速再生モードのうちの何れかの高速再生モードの指示に応じて、前記一部記憶手段に保存された一部のフレームの動画像データのうち前記指示された高速再生モードに応じたフレームの画像データを読み出して出力することを特徴とする請求項３に記載の再生装置。
【請求項６】
前記制御手段は更に、正方向及び逆方向の両方において前記動画像データの一部のフレームを間引いて先読みして前記一時記憶手段に保存するよう前記読み出し手段を制御することを特徴とする請求項１に記載の再生装置。
【請求項７】
高速再生開始の指示に応じて、前記一時記憶手段に保存された前記一部のフレームの動画像データを読み出して出力する出力手段を備えたことを特徴とする請求項１に記載の再生装置。
【請求項８】
前記制御手段は、前記動画像データの通常再生停止中に前記一部のフレームの動画像データを前記記録媒体から読み出して前記一時記憶手段に保存するよう前記読み出し手段を制御することを特徴とする請求項１に記載の再生装置。
【請求項９】
通常再生速度よりも速い速度で動画像データを再生する高速再生モードを有する再生装置であって、
記録媒体から動画像データを読み出す読み出し手段と、
前記記録媒体より読み出した動画像データを一時的に保存する一時記憶手段と、
前記動画像データ中の再生開始位置からの経過時間が長くなるほど長い間隔で前記動画像データの一部のフレームを間引いて前記記録媒体から先読みし、前記先読みした一部のフレームの動画像データを前記一時記憶手段に保存するよう前記読み出し手段を制御する制御手段
とを備える再生装置。
【請求項１０】
前記一部記憶手段に保存された動画像データを読み出して出力する出力手段を備え、前記出力手段は互いに異なる速度で前記動画像データを高速再生する複数の前記高速再生モードのうちの何れかの高速再生モードの指示に応じて、前記一部記憶手段に保存された一部のフレームの動画像データのうち前記指示された高速再生モードに応じたフレームの画像データを選択して出力することを特徴とする請求項９に記載の再生装置。
【手続補正２】
【補正対象書類名】明細書
【補正対象項目名】０００８
【補正方法】変更
【補正の内容】
【０００８】
前記目的を達成するために、本発明に係る再生装置は、通常再生速度よりも速い速度で動画像データを再生する高速再生モードを有する再生装置であって、記録媒体から動画像データを読み出す読み出し手段と、前記記録媒体より読み出した動画像データを一時的に保存する一時記憶手段と、前記動画像データ中の再生開始位置から、前記高速再生モードにおける再生速度に応じた間隔で前記動画像データの一部のフレームを選択して前記記録媒体から読み出し、前記読み出した一部のフレームの動画像データを前記一時記憶手段に保存するよう前記読み出し手段を制御する制御手段とを備えることを特徴とする。
【手続補正３】
【補正対象書類名】明細書
【補正対象項目名】０００９
【補正方法】変更
【補正の内容】
【０００９】
本発明に係る再生装置はまた、通常再生速度よりも速い速度で動画像データを再生する高速再生モードを有する再生装置であって、記録媒体から動画像データを読み出す読み出し手段と、前記記録媒体より読み出した動画像データを一時的に保存する一時記憶手段と、前記動画像データ中の再生開始位置からの経過時間が長くなるほど長い間隔で前記動画像データの一部のフレームを間引いて前記記録媒体から先読みし、前記先読みした一部のフレームの動画像データを前記一時記憶手段に保存するよう前記読み出し手段を制御する制御手段とを備える。
【手続補正４】
【補正対象書類名】明細書
【補正対象項目名】００１４
【補正方法】変更
【補正の内容】
【００１４】
ユーザは、操作部１０９により再生・停止等の指示をＣＰＵに入力できる。メモリカード１０１は、再生されるべき動画データを記憶する。メモリカードホストコントローラ１０２は、ＣＰＵ１０３の指示に従ってメモリカード１０１へのデータの読み書きを行う。音声格納用メモリ１０４及び映像格納用メモリ１０５は先入れ先出し（ＦＩＦＯ）方式のリングバッファになっており、メモリカード１０１から読み出された音声データと映像データをそれぞれ一定時間分、格納する。
【手続補正５】
【補正対象書類名】明細書
【補正対象項目名】００１７
【補正方法】変更
【補正の内容】
【００１７】
以下、再生時における映像格納用メモリ１０５の動作を説明する。